(57)【要約】【課題】組み立てが容易で鏡筒等に変形を生じさせずに確実に操作リングをロックできる監視カメラ用レンズ装置を提供する。【解決手段】ズームリング１４に設けられたズームリングロックツマミ６２を一方向に回転させると、そのズームリングロックツマミ６２のネジ部６６に螺合されたズームリング押さえ板５８が、ズームリング１４の外方向に移動し、環状凹部４２の内周面に当接する。これにより、ズームリング１４がロックされる。また、フォーカスリング１６に設けられたフォーカスリングロックツマミ９０を一方向に回転させると、そのフォーカスリングロックツマミ９０のネジ部９４に螺合されたフォーカスリング押さえ板８６がフォーカスリング１６の外方向に移動し、カバー７０の縮径部７２の内周面に当接する。これにより、フォーカスリング１６がロックされる。【選択図】  図３
2011154309.tif 000002
【特許請求の範囲】
【請求項１】
鏡筒本体の外周に操作リングが回動自在に設けられた監視カメラ用レンズ装置において、
前記鏡筒本体の外周に形成された突縁部と、
前記突縁部と対向する前記操作リングの端面に周方向に所定の幅をもって光軸と平行に形成された凹部と、
前記凹部の幅と略同じ幅をもって円弧状に形成され、基端部が前記凹部内に収容されて、前記操作リングの端面から突出して設けられるとともに、前記基端部の周方向の両壁面が前記凹部の周方向の両内壁面にガイドされて、前記操作リングの半径方向に移動自在に設けられた押さえ板と、
前記凹部が形成された前記操作リングの端面と対向する前記突縁部の端面に周方向に沿って形成され、前記操作リングの端面から突出して設けられた前記押さえ板が収容される環状又は円弧状の溝部と、
前記操作リングの外周に形成され、前記凹部に貫通して設けられた貫通穴と、
前記押さえ板の基端部に形成されたネジ穴と、
同軸上にネジ部を有し、前記貫通穴を通して、前記ネジ部を前記凹部内に収容された前記押さえ板の前記ネジ穴に螺合させることにより、前記操作リングに取り付けられ、回動操作されることにより、前記押さえ板を前記操作リングの半径方向に進退移動させるツマミと、
を備え、前記ツマミを回動操作して、前記押さえ板を前記操作リングの半径方向に進退移動させることにより、前記押さえ板を前記溝部の内壁面に当接／離間させて、前記操作リングをロック／アンロックすることを特徴とする監視カメラ用レンズ装置。
【請求項２】
前記突縁部の外周を覆うカバーを備え、前記溝部は、前記カバーを前記突縁部に取り付けることにより、前記カバーと前記鏡筒本体との間に形成され、前記押さえ板は、前記カバーに当接されて、前記操作リングをロックすることを特徴とする請求項１に記載の監視カメラ用レンズ装置。
【請求項３】
前記鏡筒本体は、第１鏡筒本体と第２鏡筒本体とからなり、前記第１鏡筒本体を前記第２鏡筒本体の先端同軸上に連結して構成され、
前記操作リングは、前記第１鏡筒本体の外周に回動自在に取り付けられ、
前記突縁部は、前記第２鏡筒本体の先端外周に形成されるとともに、先端面に環状凹部が形成され、
前記溝部は、前記第１鏡筒本体を前記第２鏡筒本体の先端同軸上に連結すると、前記環状凹部と前記第１鏡筒本体の外周との間に形成され、
前記押さえ板は、前記環状凹部の内壁面に当接されて、前記操作リングをロックすることを特徴とする請求項１に記載の監視カメラ用レンズ装置。
【請求項４】
鏡筒本体の外周に第１操作リングと第２操作リングとが回動自在に設けられた監視カメラ用レンズ装置において、
前記鏡筒本体の前記ズームリングと前記フォーカスリングとの間に形成された突縁部と、
前記突縁部と対向する前記第１操作リングの端面に周方向に所定の幅をもって光軸と平行に形成された第１凹部と、
前記第１凹部の幅と略同じ幅をもって円弧状に形成され、基端部が前記第１凹部内に収容されて、前記第１操作リングの端面から突出して設けられるとともに、前記基端部の周方向の両壁面が前記第１凹部の周方向の両内壁面にガイドされて、前記第１操作リングの半径方向に移動自在に設けられた第１押さえ板と、
前記第１凹部が形成された前記第１操作リングの端面と対向する前記突縁部の端面に周方向に沿って形成され、前記第１操作リングの端面から突出して設けられた前記第１押さえ板が収容される環状又は円弧状の第１溝部と、
前記第１操作リングの外周に形成され、前記第１凹部に貫通して設けられた第１貫通穴と、
前記第１押さえ板の基端部に形成された第１ネジ穴と、
同軸上にネジ部を有し、前記第１貫通穴を通して、前記ネジ部を前記第１凹部内に収容された前記第１押さえ板の前記第１ネジ穴に螺合させることにより、前記第１操作リングに取り付けられ、回動操作されることにより、前記第１押さえ板を前記第１操作リングの半径方向に進退移動させる第１ツマミと、
前記突縁部と対向する前記第２操作リングの端面に周方向に所定の幅をもって光軸と平行に形成された第２凹部と、
前記第２凹部の幅と略同じ幅をもって円弧状に形成され、基端部が前記第２凹部内に収容されて、前記第２操作リングの端面から突出して設けられるとともに、前記基端部の周方向の両壁面が前記第２凹部の周方向の両内壁面にガイドされて、前記第２操作リングの半径方向に移動自在に設けられた第２押さえ板と、
前記第２凹部が形成された前記第２操作リングの端面と対向する前記突縁部の端面に周方向に沿って形成され、前記第２操作リングの端面から突出して設けられた前記第２押さえ板が収容される環状又は円弧状の第２溝部と、
前記第２操作リングの外周に形成され、前記第２凹部に貫通して設けられた第２貫通穴と、
前記第２押さえ板の基端部に形成された第２ネジ穴と、
同軸上にネジ部を有し、前記第２貫通穴を通して、前記ネジ部を前記第２凹部内に収容された前記第２押さえ板の前記第２ネジ穴に螺合させることにより、前記第２操作リングに取り付けられ、回動操作されることにより、前記第２押さえ板を前記第２操作リングの半径方向に進退移動させる第２ツマミと、
を備え、前記第１ツマミを回動操作して、前記第１押さえ板を前記第１操作リングの半径方向に進退移動させることにより、前記第１押さえ板を前記第１溝部の内壁面に当接／離間させて、前記第１操作リングをロック／アンロックし、前記第２ツマミを回動操作して、前記第２押さえ板を前記第２操作リングの半径方向に進退移動させることにより、前記第２押さえ板を前記第２溝部の内壁面に当接／離間させて、前記第２操作リングをロック／アンロックすることを特徴とする監視カメラ用レンズ装置。
【請求項５】
前記鏡筒本体は、第１鏡筒本体と第２鏡筒本体とからなり、前記第１鏡筒本体を前記第２鏡筒本体の先端同軸上に連結して構成され、
前記第１操作リングは、前記第１鏡筒本体の外周に回動自在に取り付けられ、
前記第２操作リングは、前記第２鏡筒本体の外周に回動自在に取り付けられ、
前記突縁部は、前記第２鏡筒本体の先端外周に形成され、先端面に環状凹部が形成されるとともに、外周を覆うカバーが取り付けられ、
前記第１溝部は、前記第１鏡筒本体を前記第２鏡筒本体の先端同軸上に連結すると、前記環状凹部と前記第１鏡筒本体の外周との間に形成され、
前記第１押さえ板は、前記環状凹部の内壁面に当接されて、前記操作リングをロックし、
前記第２溝部は、前記カバーを前記突縁部に取り付けることにより、前記カバーと前記第２鏡筒本体の外周との間に形成され、
前記第２押さえ板は、前記カバーに当接されて、前記第２操作リングをロックすることを特徴とする請求項４に記載の監視カメラ用レンズ装置。
【発明の詳細な説明】
【技術分野】
【０００１】
本発明は監視カメラ用レンズ装置に係り、特にズーミングやフォーカシングを行うための操作リングにロック機構が備えられた監視カメラ用の監視カメラ用レンズ装置に関する。
【背景技術】
【０００２】
手動でズーミング、フォーカシングを行う監視カメラ用のレンズ装置には、設定したズーム位置とフォーカス位置とが動かないようにするために、ズームとフォーカスの操作リングにロック機構が設けられている。
【０００３】
従来の操作リングのロック機構は、操作リングの外周部にネジ止めされたツマミを鏡筒本体に向けてねじ込むことにより、ツマミの先端部を鏡筒本体の外周面に押しつけて、操作リングをロックしていた（たとえば、特許文献１等）。
【０００４】
しかし、このように、ツマミの先端部を鏡筒本体の外周面に押しつけて操作リングをロックする方式では、鏡筒本体の剛性が低いと、鏡筒本体が撓み、光学性能に悪影響を及ぼすという欠点がある。
【０００５】
そこで、特許文献２では、操作リングの外周にネジ止めされたツマミの先端にストッパープレートを取り付け、このストッパープレートを鏡筒本体に形成された溝の内壁面に押し付けることにより、操作リングをロックする方式が提案されている。
【先行技術文献】
【特許文献】
【０００６】
【特許文献１】特開２００７−３１０２２８号公報
【特許文献２】特開２００４−５４１８６号公報
【発明の概要】
【発明が解決しようとする課題】
【０００７】
しかしながら、特許文献２の方式は、ツマミに形成されたネジ部の先端に軸部を形成し、この軸部にストッパープレートを回動自在に支持する構成であるため、組み付けに手間がかかるという欠点がある。
【０００８】
本発明は、このような事情に鑑みてなされたもので、組み立てが容易で鏡筒等に変形を生じさせずに確実に操作リングをロックできる監視カメラ用レンズ装置を提供することを目的とする。
【課題を解決するための手段】
【０００９】
請求項１に係る発明は、前記目的を達成するために、鏡筒本体の外周に操作リングが回動自在に設けられた監視カメラ用レンズ装置において、前記鏡筒本体の外周に形成された突縁部と、前記突縁部と対向する前記操作リングの端面に周方向に所定の幅をもって光軸と平行に形成された凹部と、前記凹部の幅と略同じ幅をもって円弧状に形成され、基端部が前記凹部内に収容されて、前記操作リングの端面から突出して設けられるとともに、前記基端部の周方向の両壁面が前記凹部の周方向の両内壁面にガイドされて、前記操作リングの半径方向に移動自在に設けられた押さえ板と、前記凹部が形成された前記操作リングの端面と対向する前記突縁部の端面に周方向に沿って形成され、前記操作リングの端面から突出して設けられた前記押さえ板が収容される環状又は円弧状の溝部と、前記操作リングの外周に形成され、前記凹部に貫通して設けられた貫通穴と、前記押さえ板の基端部に形成されたネジ穴と、同軸上にネジ部を有し、前記貫通穴を通して、前記ネジ部を前記凹部内に収容された前記押さえ板の前記ネジ穴に螺合させることにより、前記操作リングに取り付けられ、回動操作されることにより、前記押さえ板を前記操作リングの半径方向に進退移動させるツマミと、を備え、前記ツマミを回動操作して、前記押さえ板を前記操作リングの半径方向に進退移動させることにより、前記押さえ板を前記溝部の内壁面に当接／離間させて、前記操作リングをロック／アンロックすることを特徴とする監視カメラ用レンズ装置を提供する。
【００１０】
本発明によれば、操作リングの外周に取り付けられたツマミを回動操作して、操作リングに設けられた押さえ板を操作リングの半径方向に進退移動させることにより、押さえ板を鏡筒本体に形成された溝部の内壁面に当接／離間させて、操作リングをロック／アンロックする。これにより、鏡筒等に変形を生じさせずに確実に操作リングをロックすることができる。また、ツマミは、そのネジ部を操作リングに形成された貫通穴に通して、押さえ板のネジ穴に螺合させるだけで、押さえ板とともに、操作リングに取り付けることができるので、簡単に取り付けることができる。これにより、組み立ても簡単に行うことができる。
【００１１】
請求項２に係る発明は、前記目的を達成するために、前記突縁部の外周を覆うカバーを備え、前記溝部は、前記カバーを前記突縁部に取り付けることにより、前記カバーと前記鏡筒本体との間に形成され、前記押さえ板は、前記カバーに当接されて、前記操作リングをロックすることを特徴とする請求項１に記載の監視カメラ用レンズ装置を提供する。
【００１２】
本発明によれば、鏡筒本体に形成された突縁部にカバーが取り付けられ、このカバーと鏡筒本体との間に溝部が形成される。そして、押さえ板は、カバーで形成される溝部の内壁面に当接されて、操作リングをロックする。これにより、溝部の形成を容易に行うことができる。また、押さえ板をカバーに当接させて、操作リングをロックするので、ロック時における鏡筒本体の変形を更に抑えることができる。
【００１３】
請求項３に係る発明は、前記目的を達成するために、前記鏡筒本体は、第１鏡筒本体と第２鏡筒本体とからなり、前記第１鏡筒本体を前記第２鏡筒本体の先端同軸上に連結して構成され、前記操作リングは、前記第１鏡筒本体の外周に回動自在に取り付けられ、前記突縁部は、前記第２鏡筒本体の先端外周に形成されるとともに、先端面に環状凹部が形成され、前記溝部は、前記第１鏡筒本体を前記第２鏡筒本体の先端同軸上に連結すると、前記環状凹部と前記第１鏡筒本体の外周との間に形成され、前記押さえ板は、前記環状凹部の内壁面に当接されて、前記操作リングをロックすることを特徴とする請求項１に記載の監視カメラ用レンズ装置を提供する。
【００１４】
本発明によれば、鏡筒本体が第１鏡筒本体と第２鏡筒本体とからなり、第１鏡筒本体を第２鏡筒本体の先端同軸上に連結して構成される。突縁部は、第２鏡筒本体の先端外周に形成され、その先端面には環状凹部が形成される。第１鏡筒本体を第２鏡筒本体に連結すると、環状凹部と第１鏡筒本体の外周との間に溝部が形成される。操作リングは、第１鏡筒本体の外周に回動自在に取り付けられ、この操作リングを組み付けた状態で第１鏡筒本体を第２鏡筒本体に連結すると、操作リングに取り付けられた押さえ板が、溝部に自動的に嵌め込まれる。これにより、組み立てを容易に行うことができる。また、溝部の形成も容易に行うことができる。
【００１５】
請求項４に係る発明は、前記目的を達成するために、鏡筒本体の外周に第１操作リングと第２操作リングとが回動自在に設けられた監視カメラ用レンズ装置において、前記鏡筒本体の前記ズームリングと前記フォーカスリングとの間に形成された突縁部と、前記突縁部と対向する前記第１操作リングの端面に周方向に所定の幅をもって光軸と平行に形成された第１凹部と、前記第１凹部の幅と略同じ幅をもって円弧状に形成され、基端部が前記第１凹部内に収容されて、前記第１操作リングの端面から突出して設けられるとともに、前記基端部の周方向の両壁面が前記第１凹部の周方向の両内壁面にガイドされて、前記第１操作リングの半径方向に移動自在に設けられた第１押さえ板と、前記第１凹部が形成された前記第１操作リングの端面と対向する前記突縁部の端面に周方向に沿って形成され、前記第１操作リングの端面から突出して設けられた前記第１押さえ板が収容される環状又は円弧状の第１溝部と、前記第１操作リングの外周に形成され、前記第１凹部に貫通して設けられた第１貫通穴と、前記第１押さえ板の基端部に形成された第１ネジ穴と、同軸上にネジ部を有し、前記第１貫通穴を通して、前記ネジ部を前記第１凹部内に収容された前記第１押さえ板の前記第１ネジ穴に螺合させることにより、前記第１操作リングに取り付けられ、回動操作されることにより、前記第１押さえ板を前記第１操作リングの半径方向に進退移動させる第１ツマミと、前記突縁部と対向する前記第２操作リングの端面に周方向に所定の幅をもって光軸と平行に形成された第２凹部と、前記第２凹部の幅と略同じ幅をもって円弧状に形成され、基端部が前記第２凹部内に収容されて、前記第２操作リングの端面から突出して設けられるとともに、前記基端部の周方向の両壁面が前記第２凹部の周方向の両内壁面にガイドされて、前記第２操作リングの半径方向に移動自在に設けられた第２押さえ板と、前記第２凹部が形成された前記第２操作リングの端面と対向する前記突縁部の端面に周方向に沿って形成され、前記第２操作リングの端面から突出して設けられた前記第２押さえ板が収容される環状又は円弧状の第２溝部と、前記第２操作リングの外周に形成され、前記第２凹部に貫通して設けられた第２貫通穴と、前記第２押さえ板の基端部に形成された第２ネジ穴と、同軸上にネジ部を有し、前記第２貫通穴を通して、前記ネジ部を前記第２凹部内に収容された前記第２押さえ板の前記第２ネジ穴に螺合させることにより、前記第２操作リングに取り付けられ、回動操作されることにより、前記第２押さえ板を前記第２操作リングの半径方向に進退移動させる第２ツマミと、を備え、前記第１ツマミを回動操作して、前記第１押さえ板を前記第１操作リングの半径方向に進退移動させることにより、前記第１押さえ板を前記第１溝部の内壁面に当接／離間させて、前記第１操作リングをロック／アンロックし、前記第２ツマミを回動操作して、前記第２押さえ板を前記第２操作リングの半径方向に進退移動させることにより、前記第２押さえ板を前記第２溝部の内壁面に当接／離間させて、前記第２操作リングをロック／アンロックすることを特徴とする監視カメラ用レンズ装置を提供する。
【００１６】
本発明によれば、第１操作リングの外周に取り付けられた第１ツマミを回動操作して、第１操作リングに設けられた第１押さえ板を第１操作リングの半径方向に進退移動させることにより、第１押さえ板を鏡筒本体に形成された溝部の内壁面に当接／離間させて、第１操作リングをロック／アンロックする。また、第２操作リングの外周に取り付けられた第２ツマミを回動操作して、第２操作リングに設けられた第２押さえ板を第２操作リングの半径方向に進退移動させることにより、第２押さえ板を鏡筒本体に形成された溝部の内壁面に当接／離間させて、第２操作リングをロック／アンロックする。
【００１７】
請求項５に係る発明は、前記目的を達成するために、前記鏡筒本体は、第１鏡筒本体と第２鏡筒本体とからなり、前記第１鏡筒本体を前記第２鏡筒本体の先端同軸上に連結して構成され、前記第１操作リングは、前記第１鏡筒本体の外周に回動自在に取り付けられ、前記第２操作リングは、前記第２鏡筒本体の外周に回動自在に取り付けられ、前記突縁部は、前記第２鏡筒本体の先端外周に形成され、先端面に環状凹部が形成されるとともに、外周を覆うカバーが取り付けられ、前記第１溝部は、前記第１鏡筒本体を前記第２鏡筒本体の先端同軸上に連結すると、前記環状凹部と前記第１鏡筒本体の外周との間に形成され、前記第１押さえ板は、前記環状凹部の内壁面に当接されて、前記操作リングをロックし、前記第２溝部は、前記カバーを前記突縁部に取り付けることにより、前記カバーと前記第２鏡筒本体の外周との間に形成され、前記第２押さえ板は、前記カバーに当接されて、前記第２操作リングをロックすることを特徴とする請求項４に記載の監視カメラ用レンズ装置を提供する。
【００１８】
本発明によれば、鏡筒本体が第１鏡筒本体と第２鏡筒本体とからなり、第１鏡筒本体を第２鏡筒本体の先端同軸上に連結して構成される。突縁部は、第２鏡筒本体の先端外周に形成され、その先端面には環状凹部が形成される。第１鏡筒本体を第２鏡筒本体に連結すると、環状凹部と第１鏡筒本体の外周との間に第１溝部が形成される。第１操作リングは、第１鏡筒本体の外周に回動自在に取り付けられ、この第１操作リングを組み付けた状態で第１鏡筒本体を第２鏡筒本体に連結すると、第１操作リングに取り付けられた押さえ板が、第１溝部に自動的に嵌め込まれる。また、突縁部にはカバーが取り付けられ、このカバーと第２鏡筒本体との間に第２溝部が形成される。第２押さえ板は、カバーで形成される第２溝部の内壁面に当接されて、第２操作リングをロックする。
【発明の効果】
【００１９】
本発明によれば、鏡筒等に変形を生じさせずに確実に操作リングをロックできる。また、組み立てを簡単に行うことができる。
【図面の簡単な説明】
【００２０】
【図１】本発明に係る監視カメラ用レンズ装置の一実施形態を示す斜視図
【図２】本発明に係る監視カメラ用レンズ装置の一実施形態を示す側面図
【図３】本発明に係る監視カメラ用レンズ装置の一実施形態を示す側面断面図
【図４】ズームリングの後端面の一部を拡大した図
【図５】ズームリング押さえ板とズームリングロックツマミを拡大した斜視図
【図６】ロック機構に関わる部分の組み立て展開図
【図７】ロック時の状態を示す図
【図８】ロック解除時の状態を示す図
【発明を実施するための形態】
【００２１】
以下、添付図面に従って本発明に係る監視カメラ用レンズ装置の好ましい実施の形態について詳述する。
【００２２】
＜全体構成＞
図１〜図３は、それぞれ本発明に係る監視カメラ用レンズ装置の一実施形態を示す斜視図、側面図、側面断面図である。
【００２３】
この監視カメラ用レンズ装置１０は、ズーム機能とフォーカス機能とを備えており、監視カメラに装着して使用される。ズーミングは、鏡筒本体１２の外周部に設けられたズームリング１４を回動操作することにより行われ、フォーカシングは、鏡筒本体１２の外周部に設けられたフォーカスリング１６を回動操作することにより行われる。
【００２４】
このズーミングを行うためのズームリング１４と、フォーカシングを行うためのフォーカスリング１６には、それぞれロック機構が備えられており、任意の位置で固定できるように構成されている。この点については、後に詳述する。
【００２５】
鏡筒本体１２は、第１鏡筒本体１８と第２鏡筒本体２０とで構成されており、第１鏡筒本体１８を第２鏡筒本体２０の先端同軸上に連結することにより、１つの鏡筒本体１２が形成される。ズームリング１４は、第１鏡筒本体１８の外周部に回動自在に設けられており、フォーカスリング１６は、第２鏡筒本体２０の外周部に回動自在に設けられている。
【００２６】
第２鏡筒本体２０の後端部には、マウント環２２が取り付けられており、監視カメラ用レンズ装置１０は、このマウント環２２を介して監視カメラに取り付けられる。
【００２７】
鏡筒本体１２の内部には、光軸Ｌに沿って、前側から順にズームレンズ２４、アイリスユニット２６、フォーカスレンズ２８が配置されている。
【００２８】
ズームレンズ２４は、ズームレンズ枠３０に保持されて、第１鏡筒本体１８内を光軸Ｌに沿って前後移動自在に設けられている。このズームレンズ２４を保持するズームレンズ枠３０には、外周面上に図示しない３本のカムピンが径方向に突出して設けられている。３本のズーム用カムピンは、同一円周上に等間隔に配置されており、それぞれ第１鏡筒本体１８の周面に光軸Ｌと平行に形成された図示しない３本のズーム用直進溝に嵌入されるとともに、ズームリング１４の内周部に形成された図示しない３本のズーム用カム溝に嵌入されている。この結果、ズームリング１４を回動操作すると、ズーム用カムピンとズーム用直進溝とズーム用カム溝の作用により、ズームレンズ２４が光軸Ｌに沿って前後移動する。そして、このズームレンズ２４が光軸Ｌに沿って前後移動することにより、監視カメラ用レンズ装置１０の焦点距離が変化する。
【００２９】
フォーカスレンズ２８は、フォーカスレンズ枠３２に保持されて、第２鏡筒本体２０内を光軸Ｌに沿って前後移動自在に設けられている。このフォーカスレンズ２８を保持するフォーカスレンズ枠３２には、外周面上に図示しない３本のカムピンが径方向に突出して設けられている。３本のフォーカス用カムピンは、同一円周上に等間隔に配置されており、それぞれ第２鏡筒本体２０の周面に光軸Ｌと平行に形成された図示しない３本のフォーカス用直進溝に嵌入されるとともに、フォーカスリング１６の内周部に形成された図示しない３本のフォーカス用カム溝に個別に嵌入されている。この結果、フォーカスリング１６を回動操作すると、フォーカス用カムピンとフォーカス用直進溝とフォーカス用カム溝の作用により、フォーカスレンズ２８が光軸Ｌに沿って前後移動する。そして、このフォーカスレンズ２８が光軸Ｌに沿って前後移動することにより、監視カメラ用レンズ装置１０の合焦位置が変化する。
【００３０】
アイリスユニット２６は、板状に形成されており、第２鏡筒本体２０の所定位置に図示しないビスでネジ止めされて取り付けられている。このアイリスユニット２６は、図示しないアイリスを備えており、アイリスは、アイリスメータ３４に駆動されて作動する。アイリスは、アイリスユニット２６が第２鏡筒本体２０に取り付けられると、その中心が光軸Ｌ上に位置するように配置される。
【００３１】
＜ロック機構＞
上記のように、ズームリング１４とフォーカスリング１６には、それぞれロック機構が設けられており、任意の位置で固定できるようにされている。以下、このズームリング１４とフォーカスリング１６のロック機能について説明する。
【００３２】
［ズームリングのロック機構］
図３、６に示すように、第２鏡筒本体２０の先端外周部には、第２鏡筒本体突縁部４０が外方向に張り出して形成されている。この第２鏡筒本体突縁部４０の内周部には、第２鏡筒本体２０の軸を中心とした環状凹部４２が形成されている。
【００３３】
環状凹部４２の内側には、第１鏡筒本体１８の後端部外周に突出して形成された係合片４４が係合される係合溝４６が形成されている。第１鏡筒本体１８は、この係合溝４６に係合片４４が係合されることにより、第２鏡筒本体２０の先端同軸上に連結される。
【００３４】
第２鏡筒本体２０に連結された第１鏡筒本体１８は、その後端部が環状凹部４２の内側に収容された状態で第２鏡筒本体２０に連結される。
【００３５】
ここで、この環状凹部４２の内径は、図３に示すように、第１鏡筒本体１８の外径よりも大きく形成されている。このため、第１鏡筒本体１８が第２鏡筒本体２０に連結されると、その環状凹部４２の内周と第１鏡筒本体１８の外周との間に環状の溝４８が形成される。
【００３６】
ズームリング１４は、環状に形成されており、その内径は第１鏡筒本体１８の外径に対応して形成されている。ズームリング１４は、第１鏡筒本体１８の外周部に嵌められて、第１鏡筒本体１８の外周面上を周方向に摺動自在に支持されている。このズームリング１４の内周部には、図示しないピンが突出して設けられており、ピンは第１鏡筒本体１８の外周面に周方向に沿って形成された図示しない溝に嵌合されている。これにより、ズームリング１４は、軸方向への移動が規制され、周方向にのみ回動自在に支持される。
【００３７】
また、ズームリング１４は、第１鏡筒本体１８とほぼ同じ長さで形成されており、第１鏡筒本体１８に取り付けられると、図３に示すように、その後端部が環状凹部４２の内側に収容される。このズームリング１４の外径は、環状凹部４２の内径よりも小さく形成されており、その後端部が環状凹部４２の内側に収容されると、環状凹部４２の内周面（溝４８の外側の内壁面）との間に所定の隙間が形成される。
【００３８】
また、ズームリング１４の外周部には、ズームリング突縁部５０が外方向に張り出して形成されている。ズームリング１４は、このズームリング突縁部５０の後側の部分が環状凹部４２の内側に収容される。
【００３９】
このズームリング突縁部５０の外径は、第２鏡筒本体２０の第２鏡筒本体突縁部４０の外径よりも若干大きく形成されており、ズームリング１４が取り付けられると、第１鏡筒本体１８の外周と環状凹部４２の内周との間に形成された環状の溝４８は、このズームリング突縁部５０によって、その先端の開口部が覆われる。
【００４０】
更に、ズームリング１４の外周部には、所定位置に台形状のズームリングロックツマミ台座部５２が突出して形成されている。このズームリングロックツマミ台座部５２は、周方向に所定の幅をもって形成されており、その後端部はズームリング突縁部５０の先端面に連結されて、ズームリング突縁部５０と一体化されている。
【００４１】
ズームリング突縁部５０の後端面には、このズームリングロックツマミ台座部５２の形成位置に対応して、断面矩形状のズームリング押さえ板収容凹部５４が形成されている。ズームリング押さえ板収容凹部５４は、周方向に所定の幅をもって形成されており、光軸Ｌに沿ってズームリングロックツマミ台座部５２の先端近傍まで形成されている。
【００４２】
ズームリングロックツマミ台座部５２の上面には、このズームリング押さえ板収容凹部５４に貫通する貫通穴５６が形成されている。
【００４３】
ズームリング押さえ板収容凹部５４には、薄板状に形成されたズームリング押さえ板５８が嵌め込まれている。このズームリング押さえ板５８は、後端部分がズームリング突縁部５０の後端面から突出した状態でズームリング押さえ板収容凹部５４に嵌め込まれており、その周方向の幅は、ズームリング押さえ板収容凹部５４の周方向の幅に対応して形成されている。また、図４、図５に示すように、その外面（図４において上面）、及び、内面（図４において下面）は、第２鏡筒本体の先端内周部に形成された環状凹部４２の内周面（溝４８の外側の内壁面）に対応して、円弧状に形成されており、その高さ（厚さ）は、ズームリング押さえ板収容凹部５４の径方向の高さよりも小さく形成されている。
【００４４】
このように形成されたズームリング押さえ板５８は、ズームリング押さえ板収容凹部５４に嵌め込まれると、その周方向の両端部がズームリング押さえ板収容凹部５４の周方向の両側面にガイドされて、ズームリング押さえ板収容凹部５４内を径方向に移動自在に設けられる。
【００４５】
このズームリング押さえ板５８には、ネジ穴６０が設けられている。このネジ穴６０は、ズームリング押さえ板５８がズームリング押さえ板収容凹部５４に嵌め込まれると、ズームリングロックツマミ台座部５２に形成された貫通穴５６と同軸上に位置する。このネジ穴６０には、ズームリングロックツマミ６２に形成されたネジ部６６が螺合される。
【００４６】
ズームリングロックツマミ６２は、円柱状に形成されたツマミ本体部６４と、そのツマミ本体部６４の下端同軸上に形成されたネジ部６６とで構成されている。ズームリングロックツマミ６２は、そのネジ部６６をズームリングロックツマミ台座部５２に形成された貫通穴５６に通し、ズームリング押さえ板収容凹部５４に嵌め込まれたズームリング押さえ板５８のネジ穴６０に螺合させることにより、ズームリング押さえ板５８とともにズームリング１４に取り付けられる。
【００４７】
ここで、ネジ穴６０にズームリングロックツマミ６２のネジ部６６が螺合されたズームリング押さえ板５８は、その周方向の両端部が、ズームリング押さえ板収容凹部５４の周方向の両内壁面に当接されているため、回転が規制される。この結果、ズームリングロックツマミ６２を一方向に回転させると、ズームリング押さえ板５８は、ズームリング押さえ板収容凹部５４内をズームリング１４の外方向に移動し、他方向に回転させると、ズームリング押さえ板収容凹部５４内をズームリング１４の内方向に移動する。
【００４８】
上記のように、ズームリング１４は、そのズームリング突縁部５０の後側の部分が、環状凹部４２の内側に収容された状態で第１鏡筒本体１８の外周部に取り付けられている。
【００４９】
一方、ズームリング押さえ板５８は、その後端部分がズームリング突縁部５０の後端面から突出した状態で環状凹部４２に嵌め込まれている。このため、ズームリング１４を第１鏡筒本体１８の外周部に取り付けると、ズームリング押さえ板５８の後端部分が、環状凹部４２の内側に収容される。
【００５０】
ここで、上記のように、この環状凹部４２の内周と第１鏡筒本体１８の外周との間には、環状の溝４８が形成されている。したがって、ズームリング１４を第１鏡筒本体１８の外周部に取り付けると、ズームリング押さえ板５８は、この溝４８の内側に配置される。
【００５１】
溝４８の内側に配置されたズームリング押さえ板５８は、ズームリングロックツマミ６２を一方向に回転させて、ズームリング押さえ板収容凹部５４内をズームリング１４の外方向に向けて移動させると、その外面が環状凹部４２の内壁面に当接する。この結果、ズームリング１４の回転がロックされる。ロックを解除する場合は、ズームリングロックツマミ６２を他方向に回転させる。これにより、ズームリング押さえ板５８がズームリング１４の内方向に移動し、環状凹部４２の内壁面との接触が解除される。この結果、自由に回転できるようになる。
【００５２】
［フォーカスリングのロック機構］
図３に示すように、第２鏡筒本体２０の先端外周部に形成された第２鏡筒本体突縁部４０には、その外周を覆うカバー７０が取り付けられる。
【００５３】
カバー７０は、円筒状に形成されたカバー本体７０Ａと、そのカバー本体７０Ａの後端同軸上に突出して形成された円弧状の後端突出部７０Ｂとで構成されており、カバー本体７０Ａを第２鏡筒本体突縁部４０の外周部に嵌めて取り付けられる。
【００５４】
後端突出部７０Ｂは、カバー本体７０Ａの後端部に所定の角度範囲をもって形成されており、その外径が第２鏡筒本体突縁部４０の外径よりも小さく形成されるとともに、その内径が第２鏡筒本体２０の外径よりも大きく形成されている。この結果、カバー７０が第２鏡筒本体突縁部４０に取り付けられると、その後端突出部７０Ｂの内面と第２鏡筒本体２０の外面との間に円弧状の溝７４が形成される。
【００５５】
フォーカスリング１６は、環状に形成されており、その内径は第２鏡筒本体２０の外径に対応して形成されている。フォーカスリング１６は、第２鏡筒本体２０の外周部に嵌められて、第２鏡筒本体２０の外周面上を周方向に摺動自在に支持されている。このフォーカスリング１６の内周部には、図示しないピンが突出して設けられており、ピンは第２鏡筒本体２０の外周面に周方向に沿って形成された図示しない溝に嵌合されている。これにより、フォーカスリング１６は、軸方向への移動が規制され、周方向にのみ回動自在に支持される。
【００５６】
また、フォーカスリング１６は、軸方向に所定の長さをもって形成されており、第２鏡筒本体２０に取り付けられると、図３に示すように、その先端部がカバー７０の後端部に形成された後端突出部７０Ｂの内側に収容される（円弧状の溝７４に嵌められる）。このフォーカスリング１６の外径は、後端突出部７０Ｂの内径よりも小さく形成されており、その先端部が、後端突出部７０Ｂの内側に収容されると、後端突出部７０Ｂの内周面（溝７４の外側の内壁面）との間に所定の隙間が形成される。
【００５７】
また、フォーカスリング１６の外周部には、フォーカスリング突縁部７６が外方向に張り出して形成されている。このフォーカスリング突縁部７６は、フォーカスリング１６の外周部の所定の角度範囲で形成されたおり、その内周部には、円弧状凹部７８が形成されている。フォーカスリング１６が、第２鏡筒本体２０に取り付けられると、カバー７０は、その後端部に形成された後端突出部７０Ｂが、この円弧状凹部７８の内側に収容される。
【００５８】
更に、フォーカスリング１６の外周部には、所定位置に台形状のフォーカスリングロックツマミ台座部８０が突出して形成されている。このフォーカスリングロックツマミ台座部８０は、周方向に所定の幅をもって形成されており、その先端部はフォーカスリング突縁部７６の後端面に連結されて、フォーカスリング突縁部７６と一体化されている。
【００５９】
フォーカスリング突縁部７６に形成された円弧状凹部７８の底面には、このフォーカスリングロックツマミ台座部８０の形成位置に対応して、断面矩形状のフォーカスリング押さえ板収容凹部８２が形成されている。フォーカスリング押さえ板収容凹部８２は、周方向に所定の幅をもって形成されており、光軸Ｌに沿ってフォーカスリングロックツマミ台座部８０の後端近傍まで形成されている。
【００６０】
フォーカスリングロックツマミ台座部８０の上面には、このフォーカスリング押さえ板収容凹部８２に貫通する貫通穴８４が形成されている。
【００６１】
フォーカスリング押さえ板収容凹部８２には、薄板状に形成されたフォーカスリング押さえ板８６が嵌め込まれている。このフォーカスリング押さえ板８６は、先端部分がフォーカスリング押さえ板収容凹部８２の底面から突出した状態でフォーカスリング押さえ板収容凹部８２に嵌め込まれており、その周方向の幅は、フォーカスリング押さえ板収容凹部８２の周方向の幅に対応して形成されている。また、その外面及び内面は、カバー７０の後端部に形成された後端突出部７０Ｂの内周面（溝７４の外側の内壁面）に対応して、円弧状に形成されており、その高さ（厚さ）は、フォーカスリング押さえ板収容凹部８２の径方向の高さよりも小さく形成されている。
【００６２】
このように形成されたフォーカスリング押さえ板８６は、フォーカスリング押さえ板収容凹部８２に嵌め込まれると、その周方向の両端部がフォーカスリング押さえ板収容凹部８２の周方向の両側面にガイドされて、フォーカスリング押さえ板収容凹部８２内を径方向に移動自在に設けられる。
【００６３】
このフォーカスリング押さえ板８６には、ネジ穴８８が設けられている。このネジ穴８８は、フォーカスリング押さえ板８６がフォーカスリング押さえ板収容凹部８２に嵌め込まれると、フォーカスリングロックツマミ台座部８０に形成された貫通穴８４と同軸上に位置する。このネジ穴８８には、フォーカスリングロックツマミ９０に形成されたネジ部９４が螺合される。
【００６４】
フォーカスリングロックツマミ９０は、円柱状に形成されたツマミ本体部９２と、そのツマミ本体部９２の下端同軸上に形成されたネジ部９４とで構成されている。フォーカスリングロックツマミ９０は、そのネジ部９４をフォーカスリングロックツマミ台座部８０に形成された貫通穴８４に通し、フォーカスリング押さえ板収容凹部８２に嵌め込まれたフォーカスリング押さえ板８６のネジ穴８８に螺合させることにより、フォーカスリング押さえ板８６とともにフォーカスリング１６に取り付けられる。
【００６５】
ここで、ネジ穴８８にフォーカスリングロックツマミ９０のネジ部９４が螺合されたフォーカスリング押さえ板８６は、その周方向の両端部が、フォーカスリング押さえ板収容凹部８２の周方向の両内壁面に当接されているため、回転が規制される。この結果、フォーカスリングロックツマミ９０を一方向に回転させると、フォーカスリング押さえ板８６は、フォーカスリング押さえ板収容凹部８２内をフォーカスリング１６の外方向に移動し、他方向に回転させると、フォーカスリング押さえ板収容凹部８２内をフォーカスリング１６の内方向に移動する。
【００６６】
上記のように、フォーカスリング１６は、その先端部がカバー７０の後端部に形成された後端突出部７０Ｂの内側に収容された状態で第２鏡筒本体２０の外周部に取り付けられている。
【００６７】
一方、フォーカスリング押さえ板８６は、その先端部分がズームリング突縁部５０の内周に形成された円弧状凹部７８の底面から突出した状態でフォーカスリング押さえ板収容凹部８２に嵌め込まれている。このため、フォーカスリング１６を第２鏡筒本体２０の外周部に取り付けると、フォーカスリング押さえ板８６の先端部分が、後端突出部７０Ｂの内側に収容される。
【００６８】
ここで、上記のように、この後端突出部７０Ｂの内周と第２鏡筒本体２０の外周との間には、円弧状の溝７４が形成されている。したがって、フォーカスリング１６を第２鏡筒本体２０の外周部に取り付けると、フォーカスリング押さえ板８６は、この溝７４の内側に配置される。
【００６９】
溝７４の内側に配置されたフォーカスリング押さえ板８６は、フォーカスリングロックツマミ９０を一方向に回転させて、フォーカスリング押さえ板収容凹部８２内をフォーカスリング１６の外方向に向けて移動させると、その外面が後端突出部７０Ｂの内壁面に当接する。この結果、フォーカスリング１６の回転がロックされる。ロックを解除する場合は、フォーカスリングロックツマミ９０を他方向に回転させる。これにより、フォーカスリング押さえ板８６がフォーカスリング１６の内方向に移動し、後端突出部７０Ｂの内壁面との接触が解除される。この結果、自由に回転できるようになる。
【００７０】
［動作］
上記のように、本実施の形態の監視カメラ用レンズ装置１０では、ズームリング１４を回動操作することによりズーミングが行われ、フォーカスリング１６を回動操作することによりフォーカシングが行われる。
【００７１】
ズーミングする場合において、ズームリング１４がロックされている場合は、ズームリング１４のロックを解除する。この場合、図７に示すように、ズームリング押さえ板５８が、環状凹部４２の内周面（環状の溝４８の外側の内壁面）に当接された状態にあるので、まず、この当接を解除する。当接を解除するには、ズームリングロックツマミ６２を回転操作し、ズームリング押さえ板５８をズームリング１４の内側に移動させる。これにより、図８に示すように、ズームリング押さえ板５８が、環状凹部４２の内周面から離間し、ズームリング１４のロックが解除される。この状態でズームリング１４を回動操作し、所望の焦点距離に設定する。
【００７２】
所望の焦点距離に設定されたら、ズームリングロックツマミ６２を回転操作し、ズームリング１４をロックする。すなわち、ズームリング１４のロックを解除したときとは逆方向にズームリングロックツマミ６２を回転し、ズームリング押さえ板５８をズームリング１４の外方向に移動させて、図７に示すように、その外面を環状凹部４２の内周面に当接させる。これにより、ズームリング１４の回転がロックされる。
【００７３】
一方、フォーカシングする場合において、フォーカスリング１６がロックされている場合は、フォーカスリング１６のロックを解除する。この場合、図７に示すように、フォーカスリング押さえ板８６が、カバー７０の後端突出部７０Ｂの内周面（円弧状の溝７４の外側の内壁面）に当接された状態にあるので、まず、この当接を解除する。当接を解除するには、フォーカスリングロックツマミ９０を回転操作し、フォーカスリング押さえ板８６をフォーカスリング１６の内側に移動させる。これにより、図８に示すように、フォーカスリング押さえ板８６が、カバー７０の後端突出部７０Ｂの内周面から離間し、フォーカスリング１６のロックが解除される。この状態でフォーカスリング１６を回動操作し、所望の合焦位置に設定する。
【００７４】
所望の合焦位置に設定されたら、フォーカスリングロックツマミ９０を回転操作し、フォーカスリング１６をロックする。すなわち、フォーカスリング１６のロックを解除したときとは逆方向にフォーカスリングロックツマミ９０を回転し、フォーカスリング押さえ板８６をフォーカスリング１６の外方向に移動させて、図７に示すように、その外面をカバー７０の後端突出部７０Ｂの内周面に当接させる。これにより、フォーカスリング１６の回転がロックされる。
【００７５】
このように、本実施の形態の監視カメラ用レンズ装置１０では、ズームリング１４に設けられたズームリングロックツマミ６２を回転操作して、ズームリング１４のロック／ロック解除を行い、フォーカスリング１６に設けられたフォーカスリングロックツマミ９０を回転操作して、フォーカスリング１６のロック／ロック解除を行う。この際、ズームリングロックツマミ６２に螺合させたズームリング押さえ板５８を第２鏡筒本体２０に形成された環状凹部４２の内周面に当接させて、ズームリング１４をロックし、フォーカスリングロックツマミ９０に螺合させたフォーカスリング押さえ板８６をカバー７０に形成された後端突出部７０Ｂの内周面に当接させて、フォーカスリング１６をロックする。これにより、鏡筒本体１２を変形させることなく、ズームリング１４、フォーカスリング１６をロックすることができる。特に、本実施の形態の監視カメラ用レンズ装置１０では、ズームリング押さえ板５８とフォーカスリング押さえ板８６の当接部（外側面）の形状を被当接部（環状凹部４２の内周面、後端突出部７０Ｂの内周面）の形状に対応させて形成しているので、広い面でズームリング押さえ板５８とフォーカスリング押さえ板８６を当接させてロックすることができる。これにより、ロック時に鏡筒本体１２にかかる負荷を低減することができるとともに、確実にロックすることができる。
【００７６】
また、本実施の形態では、ズームリングロックツマミ６２のネジ部６６をズームリング押さえ板５８のネジ穴６０に螺合させて、ズームリングロックツマミ６２とズームリング押さえ板５８を組み付ける構成としているので、ズームリングロックツマミ６２とズームリング押さえ板５８の組み付けを簡単に行うことができる。また、ズームリング押さえ板５８は、ズームリング押さえ板収容凹部５４の幅に対応して形成されているので、別途回り止めの機構を設ける必要がない。また、移動時にはズームリング押さえ板収容凹部５４の両壁面をガイドとして移動するので、安定して移動させることができる。フォーカスリング１６のロック機構についても同様である。
【００７７】
なお、本実施の形態では、鏡筒本体１２が第１鏡筒本体１８と第２鏡筒本体２０とで構成され、第１鏡筒本体１８を第２鏡筒本体２０に接続することで、環状の溝４８が形成されるようにしているが、環状の溝４８は第１鏡筒本体１８又は第２鏡筒本体２０に直接形成するようにしてもよい。本実施の形態のように、第１鏡筒本体１８を第２鏡筒本体２０に接続することで、ズームリング押さえ板５８を当接させるための環状の溝４８が形成されるようにすることにより、溝４８の形成を容易に行うことができるとともに、組み付けも容易に行うことができるようになる。
【００７８】
また、本実施の形態では、第２鏡筒本体２０にカバー７０を取り付けることで、フォーカスリング押さえ板８６を当接させるための環状の溝７４が形成されるようにしているが、この環状の溝７４も第１鏡筒本体１８又は第２鏡筒本体２０に直接形成するようにしてもよい。本実施の形態のように、第２鏡筒本体２０にカバー７０を取り付けることで、フォーカスリング押さえ板８６を当接させるための環状の溝７４が形成されるようにすることにより、溝７４の形成を容易に行うことができるとともに、組み付けも容易に行うことができるようになる。また、カバー７０に当接させることにより、鏡筒本体１２への変形の影響をより少なくすることができる。
【符号の説明】
【００７９】
１０…監視カメラ用レンズ装置、１２…鏡筒本体、１４…ズームリング、１６…フォーカスリング、１８…第１鏡筒本体、２０…第２鏡筒本体、２２…マウント環、２４…ズームレンズ、２６…アイリスユニット、２８…フォーカスレンズ、３０…ズームレンズ枠、３２…フォーカスレンズ枠、３４…アイリスメータ、４０…第２鏡筒本体突縁部、４２…環状凹部、４４…係合片、４６…係合溝、４８…環状の溝、５０…ズームリング突縁部、５２…ズームリングロックツマミ台座部、５４…ズームリング押さえ板収容凹部、５６…貫通穴、５８…ズームリング押さえ板、６０…ネジ穴、６２…ズームリングロックツマミ、６４…ツマミ本体部、６６…ネジ部、７０…カバー、７０Ａ…カバー本体、７０Ｂ…後端突出部、７４…環状の溝、７６…フォーカスリング突縁部、７８…円弧状凹部、８０…フォーカスリングロックツマミ台座部、８２…フォーカスリング押さえ板収容凹部、８４…貫通穴、８６…フォーカスリング押さえ板、８８…ネジ穴、９０…フォーカスリングロックツマミ、９２…ツマミ本体部、９４…ネジ部、Ｌ…光軸
【図１】
2011154309.tif 000003
【図２】
2011154309.tif 000004
【図３】
2011154309.tif 000005
【図４】
2011154309.tif 000006
【図５】
2011154309.tif 000007
【図６】
2011154309.tif 000008
【図７】
2011154309.tif 000009
【図８】
2011154309.tif 000010